(57)【要約】【課題】バックライトの照明領域を複数に分割した場合でも、筋やちらつきなどが見えない液晶表示装置を提供する。【解決手段】液晶パネル１１とバックライト１２と、バックライト１２の各照明領域のそれぞれの輝度を画像信号に基づいて算出するコントローラ１０とを有し、コントローラ１０は、各照明領域の面積及び配置位置を１フレーム毎に変更するものである。【選択図】      図８
2009175415.tif 000002
【特許請求の範囲】
【請求項１】
画像信号に基づいて画像を表示領域で表示する液晶パネルと、
複数の照明領域を有し、前記各照明領域から前記液晶パネルの表示領域を照明するバックライトと、
前記各照明領域のそれぞれの輝度を前記画像信号に基づいて算出するバックライト制御部と、
を有する液晶表示装置において、
前記バックライト制御部は、
前記各照明領域の面積、または、配置位置を任意の変更時間毎に変更する、
液晶表示装置。
【請求項２】
前記バックライト制御部は、
前記各照明領域について、前記照明領域の面積、または、配置位置が異なる複数の配置パターンを記憶しておき、
前記変更時間毎に前記配置パターンを切り替える、
請求項１記載の液晶表示装置。
【請求項３】
画像信号に基づいて画像を表示領域で表示する液晶パネルと、
複数の照明領域を有し、前記各照明領域から前記液晶パネルの表示領域を照明するバックライトと、
前記各照明領域のそれぞれの輝度を前記画像信号に基づいて算出するバックライト制御部と、
を有する液晶表示装置において、
前記バックライト制御部は、
前記画像信号に基づいて算出した任意の範囲における輝度傾斜が大きくなるほど、前記各照明領域の面積を大きくする、
液晶表示装置。
【請求項４】
画像信号に基づいて画像を表示領域で表示する液晶パネルと、
複数の照明領域を有し、前記各照明領域から前記液晶パネルの表示領域を照明するバックライトと、
前記各照明領域のそれぞれの輝度を前記画像信号に基づいて算出するバックライト制御部と、
を有する液晶表示装置において、
前記バックライト制御部は、
前記画像信号に基づいて算出した前記画像上の物体の動きベクトルの速度が早くなるほど、前記各照明領域の面積を大きくする、
液晶表示装置。
【発明の詳細な説明】
【技術分野】
【０００１】
本発明は、バックライトにより照明されて画像を表示する液晶表示装置に関するものである。
【背景技術】
【０００２】
液晶表示装置のバックライトとしては、冷陰極管や発光ダイオード（以下、ＬＥＤという）を光源として使用しており、表示状態ではこのバックライトの輝度が時間的に常に一定の輝度で発光するように構成されていた。ところが、最近ではバックライトのＬＥＤ化が急速に進むなか、バックライトの調光が容易になり、しかも画像に同期させるような高速な可変が実現できるようになった。
【０００３】
そこで、バックライトの輝度制御を応用してコントラストをさらに向上させるために、バックライトの輝度を画像に応じて可変させつつ、輝度が切り替わっても表示されるγ特性を理想の状態に保持するように階調を切り替える駆動方法が提案されている。
【０００４】
この駆動方法は、画像が明るいと判断された場合には、バックライトの輝度を上げると共にγ特性を暗から明への傾きを寝かせる方向に切り替える。逆に、画像が暗いと判断された場合には、バックライトの輝度を下げると共にγ特性を暗から明への傾きを立たせる方向に切り替える。これにより、ダイナミックレンジのより広い画像を表現できるようになった。すなわち、画像の最大階調で、かつ、バックライトの最大輝度から画像の最小階調で、かつ、バックライトの最小輝度までの広い範囲で、液晶から表示される輝度を可変することができた。
【０００５】
しかしながら、バックライトの輝度の制御を画面全体に渡って一括して行っているため、画面内に大きな輝度傾斜を生じるようなハイライト部分を多く含む画像に対しては、バックライトの輝度が時間的に一定である従来の方式とダイナミックレンジとは変わらず、改善効果が発揮できなかった。
【０００６】
そのため、最近では特許文献１でも提案されているように、バックライトを複数の照明領域に区分させて、それぞれを入力される画像信号に応じて輝度を制制するようにしているものがある。この方法は、画像信号に基づいて各照明領域の輝度が御御されることから、画面全体のうち、明るい画像情報を多く含むような表示部分に対しては輝度を高く、逆に暗い画像情報を多く含むような表示部分に対しては輝度を低くすることができ、画面全体のダイナミックレンジをより拡大している。
【０００７】
また、この方法は、照明領域毎にバックライトの輝度を変化させることから、画像信号をそのままの階調で液晶パネルに供給した場合には、表示画像の輝度が各照明領域間でずれてしまう。そこで各照明領域に対するバックライトの輝度に応じて画像信号を変換するため、各照明領域のバックライトの輝度に応じて変換された適正な階調により、各照明領域間で表示画像の輝度のずれが発生せず、適切な表示画像を得ることができる。
【特許文献１】特開２００２−９９２５０公報
【発明の開示】
【発明が解決しようとする課題】
【０００８】
しかしながら、特許文献１のように複数の照明領域間での輝度のずれは解消できるが、輝度可変及び階調可変の分解能が粗い場合や、可変速度のずれなどで上記のような適正な輝度と階調の設定ができない場合が発生する。しかも、各照明領域は固定であるため、常に境界は同じ場所に存在することから、その場所が筋のように見えてしまうという問題点がある。
【０００９】
また、ラスター画面など画面内にそれほど輝度傾斜もなく、階調のヒストグラムも同じ階調に偏っている場合などでは、その箇所が筋のように見えてしまうという問題点もある。
【００１０】
さらに、各照明領域の階調レベルがばらついている状態の画像に、動きの速い物体が各照明領域を跨がって動作するような画像の場合には、各照明領域の階調変化が追いつかず、結果として動く照明領域を跨がるたびに階調が変わるので、ちらつきとなって見えてしまうという問題点がある。
【００１１】
そこで、本発明は上記問題点に鑑み、バックライトの照明領域を複数に分割した場合でも、筋やちらつきなどが見えない液晶表示装置を提供する。
【課題を解決するための手段】
【００１２】
本発明は、画像信号に基づいて画像を表示領域で表示する液晶パネルと、複数の照明領域を有し、前記各照明領域から前記液晶パネルの表示領域を照明するバックライトと、前記各照明領域のそれぞれの輝度を前記画像信号に基づいて算出するバックライト制御部と、を有する液晶表示装置において、前記バックライト制御部は、前記各照明領域の面積、または、配置位置を任意の変更時間毎に変更する、液晶表示装置である。
【００１３】
また、本発明は、画像信号に基づいて画像を表示領域で表示する液晶パネルと、複数の照明領域を有し、前記各照明領域から前記液晶パネルの表示領域を照明するバックライトと、前記各照明領域のそれぞれの輝度を前記画像信号に基づいて算出するバックライト制御部と、を有する液晶表示装置において、前記バックライト制御部は、前記画像信号に基づいて算出した任意の範囲における輝度傾斜が大きくなるほど、前記各照明領域の面積を大きくする、液晶表示装置である。
【００１４】
また、本発明は、画像信号に基づいて画像を表示領域で表示する液晶パネルと、複数の照明領域を有し、前記各照明領域から前記液晶パネルの表示領域を照明するバックライトと、前記各照明領域のそれぞれの輝度を前記画像信号に基づいて算出するバックライト制御部と、を有する液晶表示装置において、前記バックライト制御部は、前記画像信号に基づいて算出した前記画像上の物体の動きベクトルの速度が早くなるほど、前記各照明領域の面積を大きくする、液晶表示装置である。
【発明の効果】
【００１５】
本発明によれば、各照明領域の面積や配置位置を変更することにより、筋やちらつきが見えることがない。
【発明を実施するための最良の形態】
【００１６】
以下、本発明の実施形態の液晶表示装置２について説明するが、その前に本実施形態の液晶表示装置２の参考形態である液晶表示装置１について説明する。
【００１７】
（参考形態）
本発明の参考形態に係る液晶表示装置１について図１〜図７に基づいて説明する。
【００１８】
（１）液晶表示装置１の構成
本参考形態に係る液晶表示装置１の構成について説明する。
【００１９】
図１は、本参考形態の液晶表示装置１のブロック図である。
【００２０】
液晶表示装置１は、コントローラ１０、液晶パネル１１、バックライト１２、ソースドライバ回路２２、ゲートドライバ回路２３から構成されている。
【００２１】
液晶パネル１１は、ＯＣＢ型の液晶を用いたものであり、２０〜３０インチの大きさを有している。この液晶パネル１１は、アレイ基板と対向基板とから構成され、アレイ基板には信号線と走査線が互いに直交するように配線され、それらの交点にＴＦＴ（薄膜トランジスタ）が設けられ、また、アレイ基板と対向基板との間にＯＣＢモードの液晶が挟持されている。
【００２２】
この液晶パネル１１には、ソースドライバ回路２２とゲートドライバ回路２３が接続され、コントローラ１０からの信号をソースドライバ回路２２とゲートドライバ回路２３が受けて、液晶パネル１１に対し画像を表示する。
【００２３】
バックライト１２は、液晶パネル１１の背面に配置され、このバックライト１２は、点光源である白色ＬＥＤ２４が、格子状に複数個配置されている。
【００２４】
コントローラ１０は、ＲＧＢの画像信号をフレームメモリ１３に記憶させ、その後受け取り、また、外部からのタイミング信号に基づいてソースドライバ回路２２とゲートドライバ回路２３及びバックライト１２を制御する。
【００２５】
なお、図２に示すように、液晶パネル１１、バックライト１２は各々複数の領域に分割されている。以下、この分割された領域を液晶パネル１１では「表示領域」、バックライト１２では「照明領域」という。
【００２６】
（２）コントローラ１０
次に、コントローラ１０について説明する。
【００２７】
コントローラ１０は、図１に示しように、画像輝度演算部１４、画像輝度データ保持部１５、バックライト輝度演算部１６、バックライト輝度データ保持部１７、バックライト輝度制御部１８、階調変換部１９、階調補正用ルックアップテーブル（階調補正用ＬＵＴ）２０、階調補正部２１とを有している。
【００２８】
コントローラ１０は、バックライト１２の輝度分布情報に基づき、液晶パネル１１に入力する画像情報を変換することで、画面内で正しい階調再現が得られるようにする。
【００２９】
まず、入力された画像信号をバックライト１２の照明領域毎に分析し、平均もしくは最頻の階調と、最大階調及び最小階調を抽出する。これらの画像情報を基に、バックライト１２の輝度分布が決定される。すなわち、画像情報が明るい輝度情報を多く含む場合はバックライト１２の輝度を高く、暗い輝度情報を多く含む場合はバックライト１２の輝度を低く設定する。
【００３０】
次に、このバックライト１２の制御結果を基に、液晶パネル１１におけるより小面積の表示領域毎に階調シフト量を決定する。このとき、表示領域を照明するバックライト１２の輝度制御値が同一であっても、階調シフト量が同一ではない。その理由は、表示領域を直接照明する輝度制御値が同じであっても、周りの画像情報によって照明領域周辺の輝度制御値が変化し、照明領域間のクロストークによって表示領域を照明する輝度値が変化するからである。したがって、画像を照明する輝度制御値のマトリクス情報に基づいて、適正な階調シフト量が決定される。階調シフト量も一般には線形ではなく、階調と表示輝度レベルを関係付けるγ特性にしたがって非線形にシフトされる。
【００３１】
（３）液晶パネル１１とバックライト１２の説明
図２は、液晶パネル１１とバックライト１２の説明図である。
【００３２】
液晶パネル１１においては、領域毎のＲＧＢ階調変換データに基づいて画素毎にＲＧＢの画像信号が変調制御される。
【００３３】
バックライト１２においては、液晶パネル１１の表示領域毎の画像輝度情報に基づいて輝度制御が行われる。
【００３４】
本参考形態においては、図２に示すように、液晶パネル１１を６×８の表示領域（図２（ａ））、バックライト１２を３×４の照明領域に分割した（図２（ｂ））。便宜上、液晶パネル１１における表示領域を（ｉ，ｊ）、バックライト１２における照明領域を［ｉ，ｊ］で示す。
【００３５】
（４）液晶表示装置１の動作
図１に基づいて、液晶表示装置１の動作について説明する。
【００３６】
ＲＧＢの画像信号は、フレームメモリ１３に蓄積された後、表示領域毎に読み出される。
【００３７】
画像輝度演算部１４は、読み出された画像信号に基づいて表示領域毎の輝度値が算出され、算出された表示領域毎の輝度データが画像輝度データ保持部１５に送られる。
【００３８】
バックライト輝度演算部１６は、画像輝度データ保持部１５からの表示領域毎の輝度データに基づき、照明領域毎のバックライト輝度レベルを算出する。算出された照明領域毎のバックライト輝度データがバックライト輝度データ保持部１７に送られる。
【００３９】
バックライト輝度制御部１８は、バックライト輝度演算部１６の演算結果に基づき、バックライト輝度を照明領域毎に算出する。
【００４０】
階調変換部１９は、フレームメモリ１３に蓄積された画像信号について、１画素毎に順次読み出し、この表示領域を照明するバックライト１２の輝度データに基づき階調変調を行う。
【００４１】
階調補正部２１は、この表示領域周辺におけるバックライト輝度データに基づき、階調補正用ＬＵＴ２０のデータを用いて、適正な階調補正を行い、最終的にソースドライバ回路２２に入力されるＲＧＢの画像信号（Ｒ”Ｇ”Ｂ”）に変換する。
【００４２】
（５）階調補正方法
次に、階調変換処理後に行う階調補正方法について、これまでに述べてきたバックライト輝度レベルの決定方法と共に具体的に説明する。
【００４３】
図４は、フレームメモリに蓄積された画像に対応したＲＧＢの画像信号レベルについて、図２（ａ）の表示領域毎に平均輝度階調を算出した結果の一例を示した図である。ＲＧＢの画像信号と信号輝度レベルＹとの関係は、各ＲＧＢの画像信号の視感度を考慮して
Ｙ＝０．３０Ｒ＋０．５９Ｇ＋０．１１Ｂ    ・・・（１）
のように表すことができる。（１）式の係数は、ＲＧＢ各色度点と白色点、すなわち表示系の仕様により決定される。
【００４４】
本参考形態においては、２×２の表示領域が照明領域に相当（図２参照）しており、図４から照明領域毎に平均輝度が図６（ａ）のように算出できる。同様に、表示領域毎の信号レベルの最大値、最小値から、照明領域上のＲＧＢ信号の最大値、最小値が算出可能である。
【００４５】
（６）輝度レベルの決定手順
各照明領域の輝度レベルは、これら平均、最大、最小輝度信号レベルから、図５に示すような手順で決定される。
【００４６】
すなわち、例えば平均輝度信号レベルに基づいて適当なバックライト輝度レベルを選択し、他のパラメータ（ここでは最大値、最小値）が、選択されたバックライト輝度レベルにおける表示可能信号レベル範囲に収まるかどうかを判断する。
【００４７】
いずれかのパラメータが範囲外の場合は、繰り返し処理によりバックライト輝度レベルが選択される。
【００４８】
全てのパラメータがいずれのバックライト輝度レベルにおいても表示可能信号レベル範囲に含まれない場合には、最小値もしくは最大値のいずれかが含まれるようなバックライト輝度レベルを選択する。
【００４９】
（７）階調補正処理
本参考形態では、図６（ａ）に示したような照明領域毎のＲＧＢ表示平均輝度信号レベルから、図６（ｂ）に示したようなバックライト輝度レベルを選択する。
【００５０】
フレームメモリ１３から順次読み出されたＲＧＢの画像信号レベルは、各照明領域のバックライト輝度レベル情報（図６（ｂ）参照）から、階調変換が行われる。
【００５１】
しかしながら、以下に示すような理由により、階調補正処理を行う必要が生じる。
【００５２】
図７は、図６（ｂ）において輝度レベル１を選択した領域［２，２］と、［２，２］の画面下側に位置し、輝度レベル３を選択した領域［３，２］の白表示時における輝度の空間分布を模式的に示した図である。
【００５３】
バックライト輝度を照明領域毎に変調すると、照明領域間のクロストークにより、ある表示領域を照明するバックライト輝度には、直下の照明領域の輝度だけではなく、隣接照明領域の輝度が重畳される。すなわち、隣接領域からの照明光の回り込みにより、階調変換に使用したバックライト輝度から実際のバックライト輝度がずれるという現象が生ずる。すなわち、照明誤差現象が生じる。
【００５４】
図７では、簡単のために二つの領域間のスロストークを示したが、実際には図６（ｂ）に示すよう［２，２］領域の周囲の領域すなわち、［１，１］、［１，２］、［１，３］、［２，１］、［２，３］、［３，１］、［３，２］、［３，３］において選択された輝度レベルの組み合わせにより、実際のバックライト輝度分布が決定される。照明領域の分割数、領域面積、バックライトの設計などによってクロストークが決定されるため、条件によっては、隣接領域以外の照明領域における輝度レベル変化の影響を受けることもあり得る。例えば、ある表示領域について輝度レベル１を選択したバックライトの実輝度が、階調変換時の輝度データに対して２０％の誤差を含む（２０％輝度が高い）場合には、２〜５階調程度の階調変換誤差が生じ、表示領域間の擬似輪郭や階調反転などの妨害として視認されることになる。
【００５５】
照明誤差現象による階調変換誤差を補償するため、本参考形態では図３に示すように、階調補正用ＬＵＴ２０を使用して階調補正部２１により最終的なソースドライバ回路２２への画像信号を出力するようにする。階調補正用ＬＵＴ２０には、表示領域毎に、ある照明領域の輝度レベルとそれに隣接する照明領域の輝度レベルの組み合わせに対応した階調補正データが格納されており、バックライト１２の輝度レベルを参照しながら階調補正量を決定する。
【００５６】
（第１の実施形態）
次に、本発明の第１の実施形態の液晶表示装置２について、図８〜図１０に基づいて説明する。
【００５７】
（１）液晶表示装置２の概要
上記参考形態における液晶表示装置１については、発明が解決しようとする課題の欄で示したように、輝度可変及び階調可変の分解能が粗い場合や、可変速度のずれなどで適正なバックライト１２の輝度が設定できず、また、各照明領域の位置が固定であるため、その場所に筋が表れてしまう。そこで、本実施形態の液晶表示装置２では、このような筋が表れないものを提供する。
【００５８】
（２）液晶表示装置２の構成
参考実施形態と本実施形態の異なる点は、コントローラ１０の構造にある。
【００５９】
本実施形態のコントローラ１０では、領域変換部９を有している。この領域変換部９は、フレームメモリ１３からＲＧＢの画像信号が送られてきた場合に、１フレーム毎に照明領域３０の面積と配置位置を変更する。
【００６０】
（３）バックライト１２の構成
本実施形態におけるバックライト１２は、図９に示すように複数の白色ＬＥＤ２８が格子状に配置され、縦に６個、横に１２個の照明領域３０を有しており、各照明領域３０に４個のＬＥＤ２８が配置されている。また、このバックライト１２の液晶パネル１１側には拡散板１２１が配置されている。
【００６１】
（４）液晶表示装置２の動作
次に、液晶表示装置２の動作について図１０に基づいて説明する。
【００６２】
領域変換部９は、図１０（ａ）に示す４×４の照明領域３０と、図１０（ｂ）に示す３×４の照明領域３０を１フレーム毎に交互に変更する。これら各照明領域３０の配置と数については、領域変換部９に予め記憶させておく。
【００６３】
そして、ｎフレームにおいては、４×４の照明領域３０に基づいて、参考実施形態で説明したような階調補正処理を表示領域毎に行いつつ画像の表示を行う。（ｎ＋１）フレームにおいては、３×４の照明領域３０で同様にして画像の表示を行う。（ｎ＋２）フレームでは、再び４×４の照明領域３０で画像の表示を行う。
【００６４】
なお、上記参考形態で説明した階調補正処理を表示領域毎に行う必要があるため、液晶パネル１１の表示領域は、最も細かく分割した照明領域３０よりも細かく分割しておく必要がある。
【００６５】
（５）効果
上記のように本実施形態によれば、１フレーム毎に照明領域３０の面積と配置位置を変更することにより、参考形態のように照明領域３０の位置が固定されていないため、照明領域３０の境界にできる筋が発生したりすることがない。
【００６６】
（６）変更例
上記実施形態では、１フレーム毎に照明領域３０を変更したが、これに限らず数フレーム毎に照明領域３０を変更してもよい。
【００６７】
また、図１１のように面積の大きい表示領域と面積の小さい表示領域とをそれぞれ変更する構成にしてもよい。すなわち、図１１（ａ）のような照明領域３０の第１の配置パターンと、図１１（ｂ）のような第２の配置パターンとを交互に変更してもよい。
【００６８】
（第２の実施形態）
次に、第２の実施形態の液晶表示装置２について図１２に基づいて説明する。
【００６９】
参考実施形態の液晶表示装置１では、各照明領域３０は固定であるため、常に境界は同じ場所に存在することから、特にラスター画面など画面内にそれほど輝度傾斜もなく、階調のヒストグラムも同じ階調に偏っている場合などでは、その場所が筋のように見えてしまう。
【００７０】
そこで、本実施形態では、図８に示したコントローラ１０の領域変換部９に表示画像中の予め設定された範囲内の階調の変化を、ヒストグラムに基づいて求め、その表示画像上に大きな階調の変化、すなわち輝度傾斜が無いと判断された場合には、図１２に示すように照明領域３０の面積を大きくしていく。
【００７１】
具体的には、領域変換部９において全画面における輝度傾斜を求め、この輝度傾斜が第１閾値より低い場合、すなわち殆ど輝度傾斜が無くラスター画面の場合には複数の照明領域３０に分割する。そして、第２閾値、第３閾値のそれぞれの閾値を超えていくほど照明領域３０を大きくし、輝度傾斜が最大の場合には照明領域３０を全画面で１つとする。
【００７２】
なお、上記参考形態で説明した階調補正処理を表示領域毎に行う必要があるため、液晶パネル１１の表示領域は、最も細かく分割した照明領域３０よりも細かく分割しておく必要がある。
【００７３】
このようにすることで、輝度傾斜が大きくなった場合に、照明領域３０間の筋が表れたりすることがない。
【００７４】
（第３の実施形態）
次に、第３の実施形態の液晶表示装置２について説明する。
【００７５】
参考形態の液晶表示装置１では、各照明領域３０の階調レベルがばらついている状態の画像に動きの速い物体が各照明領域３０を跨がって動作する場合に、各照明領域３０の階調変化が追いつかず、結果として動く物体が照明領域３０を跨がる度に階調が変わり、ちらつきとなってしまうことがある。
【００７６】
そこで、本実施形態では、図８におけるコントローラ１０の領域変換部９に動きベクトル検出部を設け、この動きベクトル検出部が検出した動きベクトルの速度が基準速度以上になった場合には照明領域３０を大きくする。
【００７７】
すなわち、図１３に示すように動きベクトルの速度である動画速度が速くなればなるほど照明領域３０を大きくしていく。
【００７８】
なお、上記参考形態で説明した階調補正処理を表示領域毎に行う必要があるため、液晶パネル１１の表示領域は、最も細かく分割した照明領域３０よりも細かく分割しておく必要がある。
【００７９】
このようにすることで、動きの速い物体が照明領域３０を跨がることなく、ちらつきが発生しない。
【００８０】
（変更例）
本発明は上記各実施形態に限らず、その主旨を逸脱しない限り種々に変更することができる。
【００８１】
例えば、上記実施形態では、ＯＣＢモードの液晶で説明したが、これに限らず他のモードの液晶でもよい。
【図面の簡単な説明】
【００８２】
【図１】本発明の参考形態の液晶表示装置の構成例を示したブロック図である。
【図２】画面及びバックライトの領域分割の一例を示した図である。
【図３】バックライトの輝度レベルと、輝度及び階調信号との対応関係を示した図である。
【図４】表示領域毎に入力信号レベルの平均輝度階調を算出した結果の一例を示した図である。
【図５】バックライト輝度レベルの選択方法について示した図である。
【図６】照明領域毎に入力信号レベルの平均輝度階調を算出した結果の一例を示した図である。
【図７】照明領域間のクロストークによる照明誤差を示した図である。
【図８】第１の実施形態の液晶表示装置のブロック図である。
【図９】同じくバックライトの構成図である。
【図１０】バックライトにおける照明領域の変更状態を示した図である。
【図１１】第１の実施形態の変更例における照明領域の変更を示した図である。
【図１２】第２の実施形態における照明領域の変更状態を示した図である。
【図１３】第３の実施形態における照明領域の変更状態を示した図である。
【符号の説明】
【００８３】
２  液晶表示装置
９  領域変更部
１０  コントローラ
１１  液晶パネル
１２  バックライト
１３  フレームメモリ
１４  画像輝度演算部
１５  画像輝度データ保持部
１６  バックライト輝度演算部
１７  バックライト輝度データ保持部
１８  バックライト輝度制御部
１９  階調変換部
２０  階調補正用ＬＵＴ
２１  階調補正部
２２  ソースドライバ回路
２３  ゲートドライバ回路
２８  ＬＥＤ
３０  照明領域
【図１】
2009175415.tif 000003
【図２】
2009175415.tif 000004
【図３】
2009175415.tif 000005
【図４】
2009175415.tif 000006
【図５】
2009175415.tif 000007
【図６】
2009175415.tif 000008
【図７】
2009175415.tif 000009
【図８】
2009175415.tif 000010
【図９】
2009175415.tif 000011
【図１０】
2009175415.tif 000012
【図１１】
2009175415.tif 000013
【図１２】
2009175415.tif 000014
【図１３】
2009175415.tif 000015